(57)【要約】【課題】煙草の煙は無論のこと一酸化炭素も除去出来その持続性も充分あり、換気が不充分でも一酸化炭素を低濃度に保持して、室内外の温度差が大きい季節でも空調負荷が低く、真に安全で快適な喫煙室などにできる空気清浄機を提供する【解決手段】建造物内の喫煙室２に設置されるもので、少なくとも吸引口３と排出口４とを備えこれらの間にファン５を内蔵した機体６と、この機体６内に設けこれの中に吸引した煙草の煙を除去する煙除去部７と、この煙除去部７の下流側に設けこの煙除去部７により除去できなかった一酸化炭素を除去する一酸化炭素除去剤８を含有する一酸化炭素除去部９と、を含むことで、機体６内に導入された煙草の煙は、煙除去部７でその大半が除去され、一酸化炭素除去部９で一酸化炭素が酸化され二酸化炭素となりエアーと共に排出口４から機体６外に排出されるから、上記課題を達成できる。【選択図】        図１
2005279622.tif 000002
【特許請求の範囲】
【請求項１】
少なくとも吸引口と排出口とを備えこれらの間にファンを内蔵した機体と、該機体内に設けこれの中に吸引した煙草の煙を除去する煙除去部と、該煙除去部の下流側に設けこの煙除去部により除去できなかった一酸化炭素を除去する一酸化炭素除去剤を含有する一酸化炭素除去部と、を含んでなることを特徴とする空気清浄機。
【請求項２】
前記煙除去部は、吸引した煙草の煙の比較的大きな粒子を除去するプレフィルターと、該プレフィルターを通過した微細粒子を除去する電気集塵機と、該電気集塵機を通過した超微細粒子、臭気成分などを除去する脱臭フィルターと、…を含む請求項１記載の空気清浄機。
【請求項３】
前記一酸化炭素除去部の一酸化炭素除去剤は、パラジウム塩及び銅塩よりなるレドックス型主触媒とバナジウム化合物及びリン化合物の両者もしくはバナジウム化合物のいずれかよりなる補助触媒とを、多孔質体に担持させてなる一酸化炭素酸化触媒を含有してなる請求項１または２記載の空気清浄機。
【請求項４】
前記一酸化炭素除去剤に疎水性を付与した請求項１、２または３記載の空気清浄機。
【請求項５】
前記多孔質体は、γ−アルミナである請求項３または４記載の空気清浄機。
【請求項６】
前記機体の外側及び前記排出口に一酸化炭素検知センサをそれぞれ設け、これら外側及び排出口側一酸化炭素検知センサにより検出した一酸化炭素濃度の少なくとも一方が予め定めた設定濃度より高い場合に運転状態を開始且つ維持し、両センサの検出一酸化炭素濃度の双方とも前記設定濃度より低い場合に運転状態を解除する請求項１、２、３、４または５記載の空気清浄機。
【請求項７】
前記機体の外側及び前記排出口に一酸化炭素検知センサをそれぞれ設け、これら外側及び排出口側一酸化炭素検知センサにより検出した一酸化炭素濃度の少なくとも一方が予め定めた設定濃度より高い場合に運転状態を開始且つ維持し、両センサの検出一酸化炭素濃度の双方とも前記設定濃度より一段低く設定した低位設定濃度より低い場合に運転状態を解除する請求項１、２、３、４または５記載の空気清浄機。
【請求項８】
前記一酸化炭素除去部の上流側及び下流側に一酸化炭素検知センサをそれぞれ設け、これらの上流側及び下流側一酸化炭素検知センサによる検出した一酸化炭素濃度の差が予め定めた比率値より低い場合に、前記一酸化炭素除去部のメンテナンス指令信号を出すようにした請求項１、２、３、４、５、６または７記載の空気清浄機。
【発明の詳細な説明】
【技術分野】
【０００１】  本発明は、喫煙室やリフレッシュ室などに設置する一酸化炭素除去機能を備えた空気清浄機に関する。
【背景技術】
【０００２】  現在、煙草の煙を除去する空気清浄機は大別して３種類ある。これらは、▲１▼煙を直接的に吸引して除去するタイプ、▲２▼一定空間をエアーカーテンなどで囲い、煙を囲い外に出さないようにすると共に囲い内で吸引して除去するタイプ、▲３▼上記の▲１▼と▲２▼とを組合せたもので、煙を直接的に吸引して除去し、吸引出来なかった煙をエアーカーテンなどによる囲いにより外に出さないようにするタイプ、である。【０００３】  ▲１▼のタイプとしては、本出願人の次のようなものが知られている。
【特許文献１】  特開平９−１２１９４７号公報
▲２▼のタイプとしては、次のようなものが知られている。【特許文献２】  実開平７−３５９２７号公報
▲３▼のタイプとしては、本出願人の次のようなものが知られている。【特許文献３】  特開２００１−１７４０１１号公報
【０００４】  しかしながら、これらの空気清浄機は、煙草の煙に含まれる粉塵やタール分をかなり除去することはできるが、有害ガス、特に喫煙の過程で発生する一酸化炭素を除去する機能を備えているものは現在のところない。したがって、これらの空気清浄機を喫煙室に設置しても、充分な換気を行わない限り、一酸化炭素濃度の上昇は免れないことになる。【０００５】  煙草に関連した一酸化炭素除去の技術としては、煙草に一酸化炭素除去フィルターを付けた以下のような文献が散見される。
【特許文献４】  特開昭５６−１５６８３号公報
【特許文献５】  特開２０００−２１００６９号公報
【０００６】  また、上記一酸化炭素除去フィルターに含有させる一酸化炭素除去剤として以下のような文献がある。
【特許文献６】  特公昭６３−２２１８５号公報
【特許文献７】  特公平４−６６６１２号公報
【特許文献８】  特公昭６２−１１５８２号公報
【発明の開示】
【発明が解決しようとする課題】
【０００７】  上記特許文献１〜３の空気清浄機は、すでに述べたように、脱臭機能を有しているものの一酸化炭素除去機能はほとんど無く、これら特許文献１〜３以外のものでも一酸化炭素除去機能を有しているものは無い。したがって、喫煙室やリフレッシュ室などにこれらの空気清浄機を設置しても、充分な換気を行う必要があり、室内外の温度差がある季節、特に夏冬では空調負荷が高まる。この高空調負荷に対して、ほとんどの喫煙室やリフレッシュ室が特別な配慮がなされていないから、夏は暑く冬は寒いことになって、それを避けると今度は喫煙室やリフレッシュ室内の一酸化炭素濃度が上昇して、快適な喫煙室やリフレッシュ室でなくなる。これに対応するには、喫煙室やリフレッシュ室に別途空調機器を設置する必要がある。【０００８】  上記特許文献４、５は、煙草に一酸化炭素除去フィルターを付けたものであるから、喫煙時の主流煙に対してのみの一酸化炭素除去であり、主流煙の場合より多く一酸化炭素が発生する非喫煙時の副流煙に対する一酸化炭素除去は、当然のことながら何ら考慮されていない。また、この一酸化炭素除去フィルターは１回使用の使い捨てであるから、一酸化炭素除去性能の持続性、例えば、一酸化炭素除去能力の保持期間や容量について特に考慮していない。【０００９】  上記特許文献６〜８は、いずれも一酸化炭素除去剤に関するものであるが、特に煙草のフィルターに含有させる場合の一酸化炭素除去剤に関するものであるから、一酸化炭素除去性能は無論大切ではあるが、それと共に煙草の味に対する影響や誤って口内に入っても危険性の低い点に力点が置かれる。加えて、上記特許文献４、５と同様に一酸化炭素除去性能の持続性について特に考慮していない。【００１０】  そこで、本発明は、上記事情に鑑みてなされたもので、煙草の煙は無論のこと一酸化炭素をも除去し、その一酸化炭素除去性能の持続性について充分な配慮がなされ、したがって、不充分な換気でも一酸化炭素を低濃度に保持して室内外の温度差が大きい季節でも空調負荷が低くでき、真に快適な喫煙室やリフレッシュ室にすることができる空気清浄機を提供することを課題とする。
【課題を解決するための手段】
【００１１】  本発明は、上記課題を達成するために提案されたものであって、下記の構成からなることを特徴とするものである。
すなわち、請求項１記載の発明は、少なくとも吸引口と排出口とを備えこれらの間にファンを内蔵した機体と、該機体内に設けこれの中に吸引した煙草の煙を除去する煙除去部と、該煙除去部の下流側に設けこの煙除去部により除去できなかった一酸化炭素を除去する一酸化炭素除去剤を含有する一酸化炭素除去部と、を含んでなることを特徴とする。【００１２】  請求項２記載の発明は、前記煙除去部は、吸引した煙草の煙の比較的大きな粒子を除去するプレフィルターと、該プレフィルターを通過した微細粒子を除去する電気集塵機と、該電気集塵機を通過した超微細粒子、臭気成分などを除去する脱臭フィルターと、を含むことを特徴とする。【００１３】  請求項３記載の発明は、前記一酸化炭素除去部の一酸化炭素除去剤は、パラジウム塩及び銅塩よりなるレドックス型主触媒とバナジウム化合物及びリン化合物の両者もしくはバナジウム化合物のいずれかよりなる補助触媒とを、多孔質体に担持させてなる一酸化炭素酸化触媒を含有してなることを特徴とする。【００１４】  請求項４記載の発明は、前記一酸化炭素除去剤に疎水性を付与したことを特徴とする。【００１５】  請求項５記載の発明は、前記多孔質体は、γ−アルミナであることを特徴とする。【００１６】  請求項６記載の発明は、前記機体の外側及び前記排出口に一酸化炭素検知センサをそれぞれ設け、これら外側及び排出口側一酸化炭素検知センサにより検出した一酸化炭素濃度の少なくとも一方が予め定めた設定濃度より高い場合に運転状態を開始且つ維持し、両センサの検出一酸化炭素濃度の双方とも前記設定濃度より低い場合に運転状態を解除することを特徴とする。【００１７】  請求項７記載の発明は、前記機体の外側及び前記排出口に一酸化炭素検知センサをそれぞれ設け、これら外側及び排出口側一酸化炭素検知センサにより検出した一酸化炭素濃度の少なくとも一方が予め定めた設定濃度より高い場合に運転状態を開始且つ維持し、両センサの検出一酸化炭素濃度の双方とも前記設定濃度より一段低く設定した低位設定濃度より低い場合に運転状態を解除することを特徴とする。【００１８】  請求項８記載の発明は、前記一酸化炭素除去部の上流側及び下流側に一酸化炭素検知センサをそれぞれ設け、これらの上流側及び下流側一酸化炭素検知センサによる検出した一酸化炭素濃度の差が予め定めた比率値より低い場合に、前記一酸化炭素除去部のメンテナンス指令信号を出すようにしたことを特徴とする。
【発明の効果】
【００１９】  以上詳述したように、本発明によれば、以下のような効果がある。
すなわち、請求項１記載の発明は、ファンが稼働されエアーと共に吸引口から機体内に導入された煙草の煙は、煙除去部によりその大半が除去され、次いで一酸化炭素除去部の一酸化炭素除去剤により一酸化炭素が酸化され、二酸化炭素となりエアーと共に排出口から機体外に排出される。したがって、この空気清浄機は、煙草の煙は無論のこと一酸化炭素をも除去し、煙除去部の下流に一酸化炭素除去部があるから、煙草の煙のタール成分などによる一酸化炭素除去剤の能力低下が無く、一酸化炭素除去性能の持続性について充分な配慮がなされ、このため、不充分な換気でも一酸化炭素を低濃度に保持して室内外の温度差が大きい季節でも空調負荷が低くでき、真に快適な喫煙室やリフレッシュ室にすることができる効果がある。【００２０】  請求項２記載の発明は、エアーと共に吸引口から機体内に導入された煙草の煙は、プレフィルターにより比較的大きな粒子が除去され、電気集塵機によりプレフィルターを通過した微細粒子が除去されて、脱臭フィルターにより電気集塵機を通過した超微細粒子、臭気成分などが除去される。したがって、上記効果に加えて、３段構えの煙除去部により煙草の煙が除去されるから、これによる一酸化炭素除去剤の能力低下の要因が除かれ、より高い一酸化炭素除去性能の持続性が得られる効果がある。【００２１】  請求項３記載の発明は、一酸化炭素除去剤に補助触媒が存在していることにより、主触媒のレドックス対の機能が補填され、一酸化炭素酸化活性の持続性が維持される。したがって、上記効果に加えて、一酸化炭素除去剤自体の一酸化炭素酸化活性の持続性が維持される効果がある。【００２２】  請求項４記載の発明は、一酸化炭素除去剤に疎水性を付与してあるから、エアー中に含まれる水蒸気による一酸化炭素除去能力の低下がない。したがって、上記効果に加えて、湿度の高い室内でも一酸化炭素除去性能の持続性を保持できる効果がある。【００２３】  請求項５記載の発明は、一酸化炭素除去剤を担持させる多孔質体がγ−アルミナであると、一酸化炭素の酸化活性が高く一酸化炭素の除去を高める。したがって、上記効果に加えて、高い一酸化炭素除去性能が得られる効果がある。【００２４】  請求項６記載の発明は、外側及び排出口側一酸化炭素検知センサにより検出した一酸化炭素濃度の少なくとも一方が予め定めた設定濃度より高い場合に運転状態を開始且つ維持し、両センサの検出一酸化炭素濃度の双方とも前記設定濃度より低い場合に運転状態を解除する。したがって、上記効果に加えて、設置場所の一酸化炭素濃度により、運転状態を開始且つ維持し、あるいは解除するから、常に一酸化炭素の濃度を低く保持して、真に快適且つ安全な喫煙室やリフレッシュ室を得る効果がある。【００２５】  請求項７記載の発明は、外側及び排出口側一酸化炭素検知センサにより検出した一酸化炭素濃度の少なくとも一方が予め定めた設定濃度より高い場合に運転状態を開始且つ維持し、両センサの検出一酸化炭素濃度の双方とも前記設定濃度より一段低く設定した低位設定濃度より低い場合に運転状態を解除する。したがって、上記効果に加えて、設置場所の一酸化炭素濃度が、設定濃度より一段低く設定した低位設定濃度より低い場合に運転状態を解���するから、運転状態のオンオフの回数が減る効果がある。【００２６】  請求項８記載の発明は、上流側及び下流側一酸化炭素検知センサにより検出した一酸化炭素濃度の差が予め定めた比率値より低い場合に、一酸化炭素除去部のメンテナンス指令信号を出す。したがって、上記効果に加えて、能力低下に合わせてすぐに一酸化炭素除去部のメンテナンスが出来る効果がある。
【発明を実施するための最良の形態】
【００２７】  以下に、図面を参照して本発明を実施するための最良の形態を説明する。
【実施例１】  図１は本発明の実施形態を示す空気清浄機の正面図である。図面において、空気清浄機１は、テーブルタイプであり、建造物内、例えば、喫煙室２に設置されるものであって、少なくとも吸引口３と排出口４とを備えこれらの間にファン５を内蔵した機体６と、この機体６内に設けこれの中に吸引した煙草の煙を除去する煙除去部７と、この煙除去部７の下流側に設けこの煙除去部７により除去できなかった一酸化炭素を除去する一酸化炭素除去剤８を含有する一酸化炭素除去部９と、を含んでなるものである。【００２８】  前記機体６は、箱体１０の上面に天板１１を設けてなり、天板１１に前記吸引口３を有し、その吸引口３の上方に遮蔽板１２を位置させ天板１１上に立設した支柱１３により支持している。そして、箱体１０の底板１４に前記排出口４を有し、更にその底板１４の下面にキャスター１５を設け、機体６を床１６上で自在に移動可能にしている。【００２９】  前記煙除去部７は、前記吸引口３から機体６内に吸い込んだ煙草の煙の比較的大きな粒子を除去するプレフィルター２０と、このプレフィルター２０を通過した微細粒子を除去する電気集麈機２１と、この電気集塵機２１を通過した超微細粒子、臭気成分などを除去する脱臭フィルター２２と、の３部構成となっている。また、この電気集塵機２１の代わりに、少なくとも微細粒子を除去出来るメカニカルフィルターを用い、更に、超微細粒子、臭気成分の除去機能をも併せ持つ高性能なメカニカルフィルターを併用してもよい。【００３０】  そして、この煙除去部７の下流側には、後に詳述する一酸化炭素除去部９が設置され、更にその下流側に前記ファン５が設置されている。このファン５は、吸引口３回りに漂う煙草の煙を周囲のエアーと共に機体６内に吸引することが出来、その上に煙除去部７及び一酸化炭素除去部９を通過するのに必要とされる基本的な容量及び圧力を有する条件が加算されること以外、特に限定がない。【００３１】  また、この空気清浄機１の機体６における側板２３に外側一酸化炭素検知センサ２４が取り付けられ、更に、排出口４に臨んで底板１４上に排出口側一酸化炭素検知センサ２５が取り付けられている。そして、これら外側及び排出口側一酸化炭素検知センサ２４及び２５により検出した一酸化炭素濃度の少なくとも一方が予め定めた設定濃度より高い場合に空気清浄機１の運転状態を開始且つ維持し、両センサ２４、２５の検出一酸化炭素濃度の双方とも前記設定濃度より低い場合にその運転状態を解除する。【００３２】  すなわち、喫煙室２に空気清浄機１が設置されている場合、通常、喫煙室２の出入口あるいは空気清浄機１に取り付けられた人感知センサなどからの情報により、または、空気清浄機１に取り付けられた煙感知センサなどからの情報により、空気清浄機１の運転状態の開始且つ維持し、解除がなされる。これに加えて、喫煙室２に設置されている空気清浄機１の外側及び排出口側一酸化炭素検知センサ２４及び２５による一酸化炭素濃度情報により、空気清浄機１の運転状態の開始且つ維持し、解除がなされる。したがって、人感知センサや煙感知センサからの情報が無くても、外側及び排出口側一酸化炭素検知センサ２４及び２５による一酸化炭素濃度情報により、空気清浄機１の運転状態を開始且つ維持し、解除することもありうるし、その逆も当然ある。【００３３】  また、前記外側及び排出口側一酸化炭素検知センサ２４及び２５の検出一酸化炭素濃度の双方とも、設定濃度より一段低く設定した低位設定濃度より低い場合に、空気清浄機１の運転状態を解除するようにしても良い。このように、低位設定濃度を上記の設定濃度より一段低く設定することで、低位設定濃度より低くなって空気清浄機１の運転が停止したあと、一酸化炭素濃度が設定濃度にまで上昇して空気清浄機１の運転が開始するには時間がかかり、逆に、一酸化炭素濃度が設定濃度を越えて低位設定濃度より低く下降して空気清浄機１の運転が停止するには時間がかかるから、空気清浄機１の運転状態のオンオフの回数が減ることになる。【００３４】  また、一酸化炭素除去部９の上流側、すなわち、煙除去部７と一酸化炭素除去部９との間に、一酸化炭素検知センサ２６を設けてあれば、上記排出口側一酸化炭素検知センサ２５が一酸化炭素除去部９の下流側に位置しているから、これらの両センサ２６、２５による検出した一酸化炭素濃度の差が予め定めた比率値より低い場合、例えば、５％以下の場合に、一酸化炭素除去部９のメンテナンス指令信号を出すことが出来、一酸化炭素除去部９の能力低下に合わせてすぐにメンテナンスが出来る。【００３５】  前記一酸化炭素除去部９は、既述のとおり、一酸化炭素を除去する一酸化炭素除去剤８を含有してなるものであり、一酸化炭素除去剤８は特に限定はないが、毒性の強いもの、危険性の高いもの、取扱が厄介なもの、廃棄処分が難しいものは採用すべきでない。一酸化炭素除去剤８として、例えば、パラジウム塩及び銅塩よりなるレドックス型主触媒とバナジウム化合物及びリン化合物の両者もしくはバナジウム化合物のいずれかよりなる補助触媒とを、多孔質体に担持させてなる一酸化炭素酸化触媒を含有してなるもの（特許文献７の特公平４−６６６１２号公報参照）があげられる。この一酸化炭素酸化触媒のレドックス型主触媒におけるパラジウム塩は、通常、塩化パラジウム（ＰｄＣｌ２）が使用されるが、これと硫酸パラジウム（ＰｄＳＯ４）、硝酸パラジウム（Ｐｄ（ＮＯ３）２）などの併用でも良い。また、銅塩は、塩化第二銅（ＣｕＣｌ２）、塩化第一銅（Ｃｕ２Ｃｌ２）、硫酸銅（ＣｕＳＯ４）、硝酸銅（Ｃｕ（ＮＯ３）２）などが使用されるが、塩化第二銅（ＣｕＣｌ２）の使用が望ましい。【００３６】  上記一酸化炭素酸化触媒の補助触媒におけるバナジウム化合物は、メタバナジン酸アンモニウム（ＮＨ４ＶＯ３）、バナジン酸ナトリウム（ＮａＶＯ３）、五酸化バナジウム（Ｖ２ＶＯ５）などがあげられる。また、リン化合物は、リン酸（Ｈ３ＰＯ４）、五酸化リン（Ｐ２Ｏ５）、リン酸アンモニウム（（ＮＨ４）３ＰＯ４）などがあげられる。【００３７】  上記レドックス型主触媒と補助触媒とを担持させる多孔質体は、特に限定がないが、例示すれば、γ−アルミナ、活性炭、シリカアルミナ、ゼオライトなどであり、γ−アルミナは一酸化炭素の酸化活性が高くその除去率が極めて高くなる。なお、担持体として利用できる多孔質体は、触媒を担持出来る機能を有する物質であればよく、例えば、ハニカム状のも���、海綿状のものでもよい。【００３８】  更に、一酸化炭素除去剤８として、例えば、パラジウム塩及び銅塩を担持体に担持させた触媒であり、担持体として金属酸化物と活性炭との混合組成物（特許文献６の特公昭６３−２２１８５号公報参照）があげられる。また、塩化パラジウム及び塩化第二銅の混合物を、ベントナイトと活性炭との混合組成物からなる担持体に担持させてなるもの（特許文献８の特公昭６２−１１５８２号公報参照）があげられる。【００３９】  前記一酸化炭素除去部９の一酸化炭素除去剤８は、これに疎水性が付与されていると都合がよい。すなわち、上記したような一酸化炭素除去剤８は、その触媒活性が水蒸気の存在下で低下し、遂には消失してしまうことが知られている。この一酸化炭素除去部９は、空気清浄機１の機体６内に設けられ、この空気清浄機１は、通常、喫煙室２内に設置されるから、エアー中の水蒸気が一酸化炭素除去剤８に常時に接触していることになる。したがって、一酸化炭素除去剤８は、煙草の煙に由来する一酸化炭素を除去し、その過程で一酸化炭素除去の触媒活性が徐々に低下して行くのとは別に、単に放置してあるだけでその触媒活性が徐々に低下して行く。このため、一酸化炭素除去剤８は疎水性が付与されるのがよく、その疎水性付与処理の方法は以下のとおりである。【００４０】（１）上記したパラジウム塩及び銅塩よりなるレドックス型主触媒とバナジウム化合物及びリン化合物の両者もしくはバナジウム化合物のいずれかよりなる補助触媒とを、テフロン、高シリカゼオライト、フッ化黒鉛などの疎水性担持体に担持させる方法。
（２）上記したパラジウム塩及び銅塩よりなるレドックス型主触媒とバナジウム化合物及びリン化合物の両者もしくはバナジウム化合物のいずれかよりなる補助触媒とを、顆粒あるいは錠剤にし、ポリテトラフルオロエチレン分散液スラリーで処理するか、テフロン分散液をスプレー、フッ化黒鉛分散液をスプレー、シリコン分散液のスプレーなどを行い、次いで熱処理をする方法。
（３）上記したパラジウム塩及び銅塩よりなるレドックス型主触媒とバナジウム化合物及びリン化合物の両者もしくはバナジウム化合物のいずれかよりなる補助触媒とを、粉末にし、その粉末をテフロン、シリコン、ジビニルベンゼン−スチレン共重合物、あるいはフッ化黒鉛などの疎水性を示す粉体とよく混合して混練し、打錠したり押出成型したりする方法。【００４１】  次に、上記構成になる空気清浄機１の使用方法を説明する。
まず、建造物の喫煙室２にその広さに見合う台数の空気清浄機１を設置する。この空気清浄機１は、喫煙室２内に人が入ると、喫煙室２の出入口や機体６に取り付けられた人感知センサ（不図示）により感知して、あるいは、喫煙室２内に入った人が煙草を吸い煙を吐き出しそれを煙感知センサ（不図示）により感知して、電源が入り運転を開始する。ファン５が作動すると、吸引口３から機体６内にエアーが入り、それに伴い排出口４からもエアーが排出される。入室した人が吸引口３回り近辺で喫煙すると、煙草の煙はエアーと共に吸引口３から機体６内に入り、煙除去部７のプレフィルター２０により比較的大きな粒子が除去され、プレフィルター２０により除去出来なかった微細粒子が電気集塵機２１により除去され、更に、電気集塵機２１により除去出来なかった超微細粒子、臭気成分などが脱臭フィルター２２により除去され、煙草の煙中に含まれる粉塵やタール分のほとんど無い粉塵除去エアーとなる。この粉塵除去エアーは、更に、一酸化炭素除去部９を通過し、その過程で未除去の一酸化炭素が一酸化炭素除去剤８の酸化触媒作用により、二酸化炭素となり毒性を著しく低下させる。【００４２】  なお、一酸化炭素除去部９を通過する粉塵除去エアーは、粉塵やタール分がほとんど無いから、一酸化炭素除去剤８の表面を粉塵やタール分が覆い、その酸化触媒作用を低下させることがなく、更に、喫煙室２内のエアーに水蒸気がかなり含まれていたとしても、一酸化炭素除去剤８に上記の如く疎水性付与処理をしてあれば、一酸化炭素除去の触媒活性が水蒸気により低下して行くことがない。したがって、一酸化炭素除去剤８の触媒活性が長期にわたり安定して保持され、喫煙室２内の一酸化炭素を継続的に除去できる。【００４３】  そして、この空気清浄機１は、人感知センサ及び煙感知センサ（いずれも不図示）の感知情報により、電源が入り運転状態を開始且つ維持し、あるいは運転状態を解除するが、その間は常に粉塵除去エアーが一酸化炭素除去部９を通過しているから、未除去の一酸化炭素が二酸化炭素となり毒性を著しく低下させている。しかしながら、喫煙室２内に喫煙者が多くいて煙草の消費量が多いと、喫煙室２内に喫煙者がいなくなっても、外側及び排出口側一酸化炭素検知センサ２４及び２５により検出した一酸化炭素濃度の少なくとも一方が、予め定めた設定濃度より高い場合がある。このような場合に、空気清浄機１はその運転状態を維持し、両センサ２４、２５の検出一酸化炭素濃度の双方とも設定濃度より低くなるまで運転状態を続け、低くなったら運転状態を解除する。【００４４】  そして、前記外側及び排出口側一酸化炭素検知センサ２４及び２５の検出一酸化炭素濃度の双方とも、上記した低位設定濃度より低い場合に、空気清浄機１の運転状態を解除するようにしてあると、上記の設定濃度を上下することにより、その都度、空気清浄機１の運転が停止したり開始したりすることがなくなり、空気清浄機１の運転状態のオンオフの回数が減ることになる。【００４５】  更に、一酸化炭素除去部９の上流及び下流側に、一酸化炭素検知センサ２６及び排出口側一酸化炭素検知センサ２５があるから、これらの両センサ２６、２５による検出した一酸化炭素濃度の差が���め定めた比率値より低い場合に、一酸化炭素除去部９のメンテナンス指令信号を出すから、一酸化炭素除去部９の能力低下に合わせて、すぐに取り替えなどのメンテナンスが出来る。【００４６】  以上、本発明の実施例１を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００４７】  本発明の空気清浄機は、喫煙室、リフレッシュ室などに設置して利用自在であるが、特に、喫煙室、リフレッシュ室の換気が換気扇などの関係から充分に行うことが出来ない場合、喫煙室内に多くの喫煙者が滞在して一酸化炭素濃度が高くなりがちな場合に、利用可能性が極めて高くなる。
【図面の簡単な説明】
【００４８】
【図１】  本発明の実施形態を示す空気清浄機の断面図である（実施例１）。
【符号の説明】
【００４９】      １                        空気清浄機
２                        喫煙室
３                        吸引口
４                        排出口
５                        ファン
６                        機体
７                        煙除去部
８                        一酸化炭素除去剤
９                        一酸化炭素除去部
１０                      箱体
１１                      天板
１２                      遮蔽板
１３                      支柱
１４                      底板
１５                      キャスター
１６                      床
２０                      プレフィルター
２１                      電気集塵機
２２                      脱臭フィルター
２３                      側板
２４                      外側一酸化炭素検知センサ
２５                      排出口側一酸化炭素検知センサ
２６                      一酸化炭素検知センサ
【図１】
2005279622.tif 000003